(57)【要約】【課題】  剪定作業で手指に受ける強い振動や、また剪定作業中に把手間で発生する衝突音を簡便且つ効果的に抑えることを可能にする。【解決手段】  切り刃体と受け刃体間に松葉バネを使用して開閉操作する剪定鋏、該剪定鋏の切り刃体と受け刃体の把手を取付ける各根脚体の対向する側に於いて、受け刃体のそれに対し緩衝ゴム材による突起体を脱着自在に取付け、剪定操作時に上記対向面間で発生する干渉音の発生を防止するものとなす。このさい、緩衝ゴム材は表面積を３０ｍｍ２〜６０ｍｍ２となした板状体の裏面側に３ｍｍ径で高さ凡そ４ｍｍ〜６ｍｍの疣体を取付けた構成である。【選択図】      図１
0003121120.tif 000002
【実用新案登録請求の範囲】
【請求項１】
切り刃体と受け刃体間に松葉バネを使用して開閉操作する剪定鋏、該剪定鋏の切り刃体と受け刃体の把手を取付ける各根脚体の対向する側に於いて、受け刃体のそれに対し緩衝ゴム材による突起体を脱着自在に取付け、剪定操作時に上記対向面間で発生する干渉音の発生を防止するものとなしたことを特徴とする剪定鋏。
【請求項２】
上記受け刃体の根脚体箇所に対し、同形状の補助部材を並設し、該補助部材の上方箇所へ緩衝ゴム材による突起体を係合止着可能にする凹穴を、そしてその下方箇所に松葉バネの片側先端を係止させる凹穴を穿設するものとなしたことを特徴とする請求項１記載の剪定鋏
【請求項３】
上記突起体は肉厚を凡そ２ｍｍ前後で、表面積を３０ｍｍ２〜６０ｍｍ２となした板状体の裏面側に３ｍｍ径で高さ凡そ４ｍｍ〜６ｍｍの疣体を取付けた形状になしたことを特徴とする請求項１，２又は３記載の剪定鋏。
【考案の詳細な説明】
【技術分野】
【０００１】
本考案は、植木などの枝を剪定するさいに用いる剪定鋏に関するものである。
【背景技術】
【０００２】
従来、一般に使用される剪定鋏は、受け刃体と切り刃体の２枚の刃体を持ち、各刃体に設けられる把持柄の開閉動作によって木の枝などを切断するもので、把持柄の内側面には夫々れ松葉バネやコイルバネを設けて両刃体が自動的に開くようになっているものがある。
【０００３】
上記の剪定鋏として、例えば特許文献１や特許文献２などのものがある。
【特許文献１】特開平１０−１３６７８３号
【特許文献２】実用新案登録第３０２０３８２号
【考案の開示】
【考案が解決しようとする課題】
【０００４】
上記の剪定鋏は、両把持柄を手に持ち木枝などを切断したりするが、太目の枝などを切断したりするさいは、手に相当の力を入れなければならず、そのため切断時に把手が閉じると手指に強い振動を受ける。また剪定作業中頻繁に把手間でカチカチ・・・と衝突音が発せられる問題がある。
【０００５】
本考案は上記問題点を解決せんとするものである。
【課題を解決するための手段】
【０００６】
本考案は、切り刃体と受け刃体間に松葉バネを使用して開閉操作する剪定鋏であって、該剪定鋏の切り刃体と受け刃体の把手を取付ける各根脚体の対向する側に於いて、受け刃体のそれに対し緩衝ゴム材による突起体を脱着自在に取付け、剪定操作時に上記対向面間で発生する干渉音の発生を防止するものとなしたことを特徴とする。
【０００７】
このさい、受け刃体の根脚体箇所に対しては、同形状の補助部材を並設し、該補助部材の上方箇所へ緩衝ゴム材による突起体を係合止着可能にする凹穴を、そしてその下方箇所に松葉バネの片側先端を係止させる凹穴を穿設するのであり、また突起体は肉厚を凡そ２ｍｍ前後で、表面積を３０ｍｍ２〜６０ｍｍ２となした板状体の裏面側に３ｍｍ径で高さ凡そ４ｍｍ〜６ｍｍの疣体を取付けた形状になしたものにするのである。
【考案の効果】
【０００８】
本考案は上記各請求項に記載した如く構成するのであって、剪定作業のさい、手に感じる衝撃や切断時に発生する不快音を適確に和らげることが可能となり、簡便で且つ安全に作業が行えるものとなるのである。
【０００９】
また、緩衝ゴムを脱着可能になしたことにより、使用頻度の多い剪定作業に於いても適時に取り換え、作業効率の向上に寄与すること大ならしめるものである。
【考案を実施するための最良の形態】
【００１０】
本考案の実施の形態について、以下に図面でもって説明する。
図１は本考案に係る剪定鋏１の両把手を開放した状態の平面図である。ここで、２は剪定鋏１に係る受け刃体、４は緩衝ゴム材、５は切り刃体、Ｍは松葉バネである。
【００１１】
図２Ａは上記に於ける受け刃体２の分解図であって２ａは受け刃、２ｂは根脚体、２ｃは上記根脚体２ｂと同形状の補助部材であり、３は把持部材である。ここで、補助部材２ｃは上方箇所へ緩衝ゴム材４による突起体４ｂの係合止着を可能にする凹穴ｈ１を、そしてその下方箇所には松葉バネＭの片側先端を係止させる凹穴ｈ２が穿設してあり、凹穴ｈ１に緩衝ゴム材４を取付けると上記根脚体２ｂ上へ重ね合わせ、あと把持部材３で両者を抱き込んで嵌着させる。図２Ｂは上記の嵌着後に矢印ｋ点箇所でスポット溶接して強固に一体化させた状態図である。
【００１２】
図３は上記した緩衝ゴム材４の形状説明図であってＡは正面図、Ｂは側面図である。ここで、見られる通り緩衝ゴム材４は板状体４ａと突起体４ｂとからなり、板状体４ａの肉厚は凡そ２ｍｍ前後であり、且つその表面積は３０ｍｍ２〜６０ｍｍ２である。なお、突起体４ｂはその径寸法ｓを３ｍｍ、高さ寸法ｔを凡そ４ｍｍ〜６ｍｍになした疣体である。
【００１３】
図４Ａは切り刃体５の構成を示す説明図であって、５ａは切り刃、５ｂは根脚体である。ここで、ｈ３は根脚体５ｂに穿設した上記松葉バネＭの他側先端部を係止させるための凹穴である。６は把手部材であり、切り刃体５の構成にさいしては図４Ｂに示す如く、上記根脚体５ｂに嵌着させて受け刃体２と同様にこれをｋ点箇所でスポット溶接して一体化を行うのである。
【００１４】
図５は上記受け刃体２と切り刃体５を組合せた状態の一部破断説明図であり、７は各把手部材３，６上へ別途被覆させた滑り止め用の合成樹脂カバー、８は係止フックである。
【００１５】
図６は上記構成の剪定鋏１を閉塞させたさいの状態図である。該図面に見られる通り本考案の如く構成した剪定鋏では受け刃体２の根脚体２ｂに取付けた緩衝ゴム材４が、一点鎖線ｐ内で示すように切り刃体５の根脚体５ｂと対合する箇所Ｇに対しその板状体４ａを介して当接するものとなるのであり、これにより従来に於ける当該箇所で金属同士の接触時に発生するカチカチ・・・と言う衝突音が防止されるものとなるのである。而して、本考案の如く構成したものでは、適時の使用後にこの取り換えを行わんとする場合は、板状体４ａの箇所でこれを外方へ向けて引張るようにすることにより、簡単に取外せるのであって、新品との取換え作業も簡便且つ迅速に行うことができるのである。
【図面の簡単な説明】
【００１６】
【図１】本考案に係る剪定鋏の両把手を開放した状態の平面図である。
【図２】Ａ，Ｂは本考案に係る受け刃体の根脚体箇所に緩衝ゴム材を取付ける状態を示す図である。
【図３】本考案に係る緩衝ゴム材の形状説明図である。
【図４】Ａ，Ｂは本考案に係る切り刃体の構成を示す説明図である。
【図５】上記受け刃体と切り刃体３とを組合わせた状態の一部破断説明図である。
【図６】本考案に係る剪定鋏を閉塞させたさいの状態図である。
【符号の説明】
【００１７】
１      剪定鋏
２      受け刃体
２ａ    受け刃
２ｂ    根脚体
２ｃ    補助部材
３      把持部材
４      緩衝ゴム材
５      切り刃体
５ａ    切り刃
５ｂ    根脚体
６      把手部材
７      合成樹脂カバー
８      係止フック
Ｍ      松葉バネ
【図１】
0003121120.tif 000003
【図２】
0003121120.tif 000004
【図３】
0003121120.tif 000005
【図４】
0003121120.tif 000006
【図５】
0003121120.tif 000007
【図６】
0003121120.tif 000008